(57)【特許請求の範囲】
【請求項１】
座が脚フレームに対して使用位置と跳ね上げ位置との間で回動可能であり、前記座が跳ね上げ位置にある状態で、同一構造をなす他の椅子と前後方向にネスティングし得るように構成された椅子であって、
前記座が、周辺部よりも中央部が厚み方向に撓みやすい構造をなす座板を備えており、その座板の下面が座裏カバーにより覆われたものであり、少なくとも前記座板の中間部と前記座裏カバーの中間部が前記座板の撓みを許容するための撓み空間を隔てて離間して配されており、
前記座が使用位置にある状態で、当該座が直接的に前記脚フレームに支持されて略水平をなすように位置決めされているものであり、
前記座板の少なくとも左右の下面が、前記脚フレームに対して上下方向に回転可能な左右のフレームにより支持されており、これら左右のフレームが前記座が使用位置にある状態で前記脚フレームに間接的に支持されて略水平の姿勢をとるものであり、
前記左右のフレームが、左右方向に延び前記座板の撓み空間を形成するべく下方に迂回するように湾曲又は屈曲した横架材によって連結されており、
前記左右のフレーム及び前記横架材が、前記座裏カバーによって下方から覆われているものであり、
前記横架材が扁平のパイプ材により形成され、その下面が前記座裏カバーの上面に当接したものであり、
前記座が使用位置にある状態で、上から前記横架材、前記座裏カバー、前記脚フレームの順序で重なるものであり、前記横架材の上には着座者の荷重を受けた際に前記座板が下方に撓むのを許容し得る空間が形成されている椅子。
【請求項２】
前記座裏カバーは、上面側に前記横架材が配される位置決め凹部を備えている請求項１記載の椅子。
【請求項３】
前記脚フレームが、左右の前脚とこれら左右の前脚間を連結する連結部材とを備えたものであり、
前記座裏カバーは、前記連結部材の前後に突条を配している請求項１又は２記載の椅子。
【請求項４】
前記座裏カバーが、その外周縁に前記座板方向に延びる起立壁を備えており、前記座板の周辺部には前記座裏カバー方向に延びるように突設された壁状のリブが形成されており、前記リブの外側に前記起立壁を位置させた状態で前記座裏カバーが前記座板に対して取り付けられている請求項１、２又は３記載の椅子。
【請求項５】
前記座裏カバーが、合成樹脂製のものである請求項１、２、３又は４記載の椅子。
【発明の詳細な説明】
【技術分野】
【０００１】
本発明は、事務用や学校用等として好適に使用される椅子に関する。
【背景技術】
【０００２】
従来から、座が脚フレームに対して使用位置と跳ね上げ位置との間で回動可能であり、前記座が跳ね上げ位置にある状態で、同一構造をなす他の椅子と前後方向にネスティングし得るように構成された椅子が知られている（例えば特許文献１参照）。
【０００３】
ところで、この種の椅子における座は、座板を主体に構成されているものが多く、跳ね上げ位置において座板の裏側が使用者等の目に触れやすい状態になるものが多い。このため、座が厚み方向に撓みやすい構造を検討するにあたり、座板の裏側が使用者等によって視認され得ることを前提として設計せざるを得ない。換言すれば、従来の椅子は、座板の裏側が使用者等によって視認され得るものであるため、座板を着座者の荷重に応じて厚み方向に撓みやすい構造にするための設計の自由度が制約されたものとなっていた。
【先行技術文献】
【特許文献】
【０００４】
【特許文献１】特開２０１２−９０７９２号公報
【発明の概要】
【発明が解決しようとする課題】
【０００５】
本発明は、以上のような事情に着目してなされたもので、座板を着座者の荷重に応じて厚み方向に撓みやすい構造にするための設計の自由度に優れた椅子を提供することにある。
【課題を解決するための手段】
【０００６】
すなわち、本発明は次の構成をなしている。
【０００７】
請求項１に係る椅子は、座が脚フレームに対して使用位置と跳ね上げ位置との間で回動可能であり、前記座が跳ね上げ位置にある状態で、同一構造をなす他の椅子と前後方向にネスティングし得るように構成された椅子であって、前記座が、周辺部よりも中央部が厚み方向に撓みやすい構造をなす座板を備えており、その座板の下面が座裏カバーにより覆われたものであり、少なくとも前記座板の中間部と前記座裏カバーの中間部が前記座板の撓みを許容するための撓み空間を隔てて離間して配されており、前記座が使用位置にある状態で、当該座が直接的に前記脚フレームに支持されて略水平をなすように位置決めされているものであり、前記座板の少なくとも左右の下面が、前記脚フレームに対して上下方向に回転可能な左右のフレームにより支持されており、これら左右のフレームが前記座が使用位置にある状態で前記脚フレームに間接的に支持されて略水平の姿勢をとるものであり、前記左右のフレームが、左右方向に延び前記座板の撓み空間を形成するべく下方に迂回するように湾曲又は屈曲した横架材によって連結されており、前記左右のフレーム及び前記横架材が、前記座裏カバーによって下方から覆われているものであり、前記横架材が扁平のパイプ材により形成され、その下面が前記座裏カバーの上面に当接したものであり、前記座が使用位置にある状態で、上から前記横架材、前記座裏カバー、前記脚フレームの順序で重なるものであり、前記横架材の上には着座者の荷重を受けた際に前記座板が下方に撓むのを許容し得る空間が形成されている。
【０００８】
ここで、「座板」とは、単一の部材のものに限られず、複数の部材によって一体的に構成されたものを含んだ概念である。「座板」とは、全体的にみて板状のものであればよく、例えば、部分的にシート状の部分を備えているものであってもよい。
【００１１】
請求項２に係る椅子は、請求項１記載の構成において、前記座裏カバーは、上面側に前記横架材が配される位置決め凹部を備えているものである。
【００１２】
請求項３に係る椅子は、請求項１又は２記載の構成において、前記脚フレームが、左右の前脚とこれら左右の前脚間を連結する連結部材とを備えたものであり、前記座裏カバーは、前記連結部材の前後に突条を配しているものである。
【００１３】
請求項４に係る椅子は、請求項１、２又は３記載の構成において、前記座裏カバーが、その外周縁に前記座板方向に延びる起立壁を備えており、前記座板の周辺部には前記座裏カバー方向に延びるように突設された壁状のリブが形成されており、前記リブの外側に前記起立壁を位置させた状態で前記座裏カバーが前記座板に対して取り付けられているものである。
【００１４】
請求項５に係る椅子は、請求項１、２、３又は４記載の構成において、前記座裏カバーが、合成樹脂製のものである。
【発明の効果】
【００１５】
以上説明したように本発明によれば、座板を着座者の荷重に応じて厚み方向に撓みやすい構造にするための設計の自由度に優れた椅子を提供することができるものとなる。
【図面の簡単な説明】
【００１６】
【図１】本発明の一実施形態を示す斜視図。
【図２】同実施形態における正面図。
【図３】同実施形態における右側面図。
【図４】同実施形態における平面図。
【図５】同実施形態における背面図。
【図６】同実施形態における底面図。
【図７】同実施形態におけるスタッキング状態を示す右側面図。
【図８】図２におけるＡ−Ａ線断面図。
【図９】同実施形態における分解斜視図。
【図１０】座板を説明するための底面図。
【図１１】座板を説明するための平面図。
【発明を実施するための形態】
【００１７】
以下、本発明の一実施形態を、図１〜１１を参照して説明する。なお、図１１では、座板４２の説明の便宜のため、被覆部材４３を省略したものを示している。
【００１８】
この実施形態は、本発明を前後方向にネスティング可能な椅子Ｃ、換言すれば水平方向にスタッキング可能な椅子Ｃに適用したものである。椅子Ｃは、図７に具体的に示すように、座４を跳ね上げ位置（Ｈ）に保持した状態で同一構造をなす他の椅子Ｃ’と前後方向にネスティングし得るように構成されているものである。
【００１９】
椅子Ｃは、椅子本体たる脚フレーム１に支持体である肘掛け２を介して背凭れ３を支持させるとともに前記脚フレーム１に対して座４を使用位置（Ｕ）と跳ね上げ位置（Ｈ）との間で回動可能に支持させている。すなわち、前記座４が使用位置（Ｕ）にある状態で、当該座４が直接的に前記脚フレーム１に支持されて略水平をなすように位置決めされている。
【００２０】
以下、この椅子Ｃについて詳述する。
【００２１】
椅子本体である脚フレーム１は、金属製のパイプ材を主体に構成されたものである。脚フレーム１は、下端にキャスタ１１１を有した左右の後脚１１と、下端にキャスタ１２１を有するとともに上端を前記左右の後脚１１の上部に接続した左右の前脚１２と、これら左右の前脚１２の中間部同士を繋ぐ連結部材たる第一の横架材１３と、この第一の横架材１３よりも後側の位置において前記左右の前脚１２同士を繋ぐ第二の横架材１４とを備えてなる。
【００２２】
左右の後脚１１は、上部側が下部側よりも前側に位置するように前傾した態様で上下方向に延びてなるものであり、その上部は肘掛け２及び背凭れ３を支持するための肘掛け２及び背凭れ３用支持フレームとしての役割を担っている。後脚１１の上端部には、背板３１と一体に形成された肘掛け２が装着されるようになっている。後脚１１は、上端部に細径をなす柱状の芯材である肘掛け接続部１１２を備えており、この肘掛け接続部１１２に後述する肘掛け２の取付部２３が装着されるようになっている。左右の前脚１２の総幅すなわち離間幅は、後脚１１の離間幅よりも狭くなっている。また、後脚１１と接続する付近の部位である前脚１２の上端部は、内方側から外側方に向かって湾曲した形状をなしている。
【００２３】
左右の前脚１２は、上部側が下部側よりも後側に位置するように後傾した態様で上下方向に延びてなるものであり、これら左右の前脚１２に前記第一の横架材１３及び第二の横架材１４が連結されている。
【００２４】
第一の横架材１３は、正面視において上向き凸状をなすように形成されたものであり、その左右方向中間部に左右方向に水平に延びる水平部１３１を備えている。水平部１３１は、使用位置（Ｕ）にある座４の下面、より具体的には、使用位置（Ｕ）にある座４における座裏カバー４４の下面に添接するものであり、当該座４を下方から受け止めるようになっている。
【００２５】
第二の横架材１４は、左右両端部に配され座４を枢支する軸部を構成する枢支部１４１と、これら左右の枢支部１４１の間に配され正面視において下方に向けて湾曲した形状をなす中間部１４２とを備えている。中間部１４２は、下方に向けて凸をなすように湾曲しており、その上には座板４２が着座者の荷重を受けた際に下方に向かって撓み得るための撓み許容空間ｓｐを有している。なお、前脚１１には左右の枢支部１４１のみを設け、中間部１４２が無いものとしてもよい。すなわち、枢支部１４１は、少なくとも座４を回転支持し得る部位を備えていればよく、左右に分断されてこれら左右間がつながっていないものであってもよい。
【００２６】
次いで、支持体である肘掛け２について説明する。
【００２７】
肘掛け２は、背凭れ３を脚フレーム１に支持させるものである。すなわち、肘掛け２は、前端部を上下方向に延びる取付部２３を介して脚フレーム１における後脚１１の上部に支持させるとともに後端部を後述する背板３１の張り出し部３１２に接続した主支持部材２１と、この主支持部材２１の下側に離間させて設けられ前端部を前記取付部２３を介して前記脚フレーム１に支持させるとともに後端部を前記張り出し部３１２に接続した補助支持部材２２とを備えている。この実施形態では、肘掛け２と後述する背板３１とが合成樹脂により一体に形成されている。
【００２８】
主支持部材２１は、上面に肘当て面２１ｓを有したものであり、前後方向に延びる矩形棒状のものである。主支持部材２１は、補助支持部材２２と協働して背板３１を支持する役割を担う。主支持部材２１の前端部は後脚１１に装着される取付部２３の上部に一体に連設されている。主支持部材２１の後端は前記背板３１の張り出し部３１２に一体に連設されている。主支持部材２１は、側面視において後部側が前部側よりも上に位置するように略水平から若干前傾した姿勢をなしている。主支持部材２１の前端部２１１は、前方に向かって取付部２３の前側の外面２３ｓよりも前側に突出した形状をなしており、着座者が手を掛け易い形状になっている。
【００２９】
補助支持部材２２は、前後方向に延びる矩形棒状のものであり、主支持部材２１と協働して背板３１を支持する役割を担うものである。補助支持部材２２の前端は、前記取付部２３の下部に一体に連設されている。補助支持部材２２の後端は、前記背板３１の張り出し部３１２に一体に連設されている。補助支持部材２２は、側面視において主支持部材２１よりも後部側が前部側よりも上に位置するように前傾した姿勢をなしている。
【００３０】
主支持部材２１と補助支持部材２２は、互いに離れた位置に配されており、且つ、側面視において平行にならない態様で配されている。換言すれば、肘掛け２は、主支持部材２１と補助支持部材２２とが非平行に配されたものとなっている。また、補助支持部材２２は、主支持部材２１よりも側面視において厚肉に形成されている。つまり、肘当て面２１ｓを備えた主支持部材２１が、補助支持部材２２よりも薄肉に形成されており、見る者に対して視覚的に軽いような雰囲気を印象付け得るようになっている。補助支持部材２２は、脚フレーム１の上端部が延びる方向に対して略垂直に延びるように設けられている。換言すれば、補助支持部材２２は、後脚１１の上端部における前側面や後側面に対して略直角となる方向に延びている。
【００３１】
取付部２３は、下方に開口した円筒状のものであり、後脚１１の上端部に外嵌され、取付部２３の後部から挿通されたねじｖ１により後脚１１に対して止着されるようになっている。より具体的に言えば、後脚１１は、上端部に金属製の円柱状をなす芯材たる肘掛け接続部１１２を備えており、この肘掛け接続部１１２に対して取付部２３が包着された状態でねじｖ１により固定されている。外部に表出した後脚１１の外面１１ｓと取付部２３の外面２３ｓとは略面一になるように設定されている。また、正面視において、取付部２３の幅寸法と補助支持部材２２の幅寸法は略同じ寸法に設定されている。
【００３２】
次いで背凭れ３について説明する。
【００３３】
背凭れ３は、肘掛け２とともに合成樹脂により一体に形成された背板３１を主体に構成されたものである。背凭れ３は、側縁に張り出し部３１２を備えている。より具体的に言えば、背凭れ３は、正面視において略矩形状をなす背板本体３１１と、この背板本体３１１の側縁における上下方向中間部から外方に突出した張り出し部３１２とを備えている。
【００３４】
背板本体３１１は、平面視において後方に向けて凸をなすように湾曲するとともに側面視において前方に向けて凸をなすように湾曲した形状をなしており、左右の張り出し部３１２の上下方向中間部間に位置する部位を避けた上部領域に前後方向に貫通する複数の貫通孔３１１ａが形成されている。背板本体３１１は、下縁に下方に向けて開口する溝ｍｚを有しており、背板本体３１に対して図示しない背凭れカバーを装着する際に当該背凭れカバーの端部を保持することができるようにしてある。
【００３５】
張り出し部３１２は、背板本体３１１の両側縁における中間部から外方に突出した片状の部位を主体に構成されており、着座者の腰に対応する高さ位置に設けられている。張り出し部３１２は、上部領域３１２ａと下部領域３１２ｃとこれら上部領域３１２ａと下部領域３１２ｃとの間に位置する中部領域３１２ｂとを備えている。そして、肘掛け２における主支持部材２１の後端部は、張り出し部３１２の上部領域３１２ａに連設されており、肘掛け２における補助支持部材２２の後端部は、張り出し部３１２の下部領域３１２ｃに連設されている。張り出し部３１２の上端面３１２ｓはなだらかな曲面状をなしており、前端部において肘掛け２における主支持部材２１の肘当て面２１ｓと面一に連続するとともに後端部において背板本体３１１の側端面３１１ｓと面一に連続するようになっている。
【００３６】
続いて座４について説明する。
【００３７】
座４は、パイプ材を主体に構成された座支持フレーム４１と、この座支持フレーム４１上に配された座板４２と、この座板４２の上面側を被覆する被覆部材４３と、前記座支持フレーム４１の主要部分及び座板４２の裏側を下方からカバーするための座裏カバー４４とを備えたものである。
【００３８】
座支持フレーム４１は、左右に対向するとともに前記脚フレーム１に対して上下方向に回転可能な左右のフレームたる側枠部材４１１ａを有したものであり、この実施形態では四角枠状をなしている。これら左右のフレームたる側枠部材４１１ａは、座４が使用位置（Ｕ）にある状態で脚フレーム１に軸保持部材ｗを介して間接的に支持されて略水平の姿勢をとるものである。座支持フレーム４１は、環状をなす座支持フレーム本体４１１と、この座支持フレーム本体４１１の側枠部材４１１ａ間に架設された横架材たる座横架材４１２とを備えたものである。
【００３９】
座支持フレーム本体４１１は、座板４２の側部の下面を下方から支持する側枠部材４１１ａと、これら側枠部材４１１ａの前端部間を接続する前枠部材４１１ｂと、前記側枠部材４１１ａの後端部間を接続する後枠部材４１１ｃとを備えたものであり、金属製の丸形パイプ材を用いて環状に構成されている。つまり、座支持フレーム本体４１１は、後述する座板４２の変形領域ｘに対応する部分に曲面を有したパイプ状のものである。側枠部材４１１ａの後部には、第二の横架材１４の枢支部１４１に対して回動可能に係わり合う軸保持部材ｗが下方に突出して設けられている。
【００４０】
座横架材４１２は、扁平のパイプ材により形成されたものであり、下方に向けて凸をなす形状をなしている。換言すれば、左右の側枠部材４１１ａは、左右方向に延び前記座板４２が下方に向かって撓むことが可能な撓み空間を形成するべく下方に迂回するように湾曲又は屈曲した横架材たる座横架材４１２によって連結されている。座横架材４１２の上には、着座者の荷重を受けた際に、前記座板４２が下方に撓むのを許容し得る空間である撓み許容空間ｓｐが形成されている。座横架材４１２は、その左右方向中間部に左右方向に水平に延びる水平部４１２ａを備えている。水平部４１２ａは、座４が使用位置（Ｕ）にある状態で、座裏カバー４４を介して脚フレーム１における第一の横架材１３の水平部１３１の真上に位置するようになっている。換言すれば、座裏カバー４４は、座４が使用位置（Ｕ）にある状態で、脚フレーム１の第一の横架材１３と座支持フレーム４１の座横架材４１２とによって挟まれる構造をなしている。
【００４１】
なお、座支持フレーム４１１は、左右の側枠部材４１１ａを座横架材４１２で接続するだけの形状としてもよい。換言すれば、座支持フレーム４１１は、前枠部材４１１ｂ及び後枠部材４１１ｃを省略し、例えば、平面視略Ｈ字状をなすものとしてもよい。
【００４２】
座板４２は、合成樹脂により形成された座板本体４２１と、この座板本体４２１の平面視における中央部に配された受圧部材たるメッシュ状の張材４２２とを備えている。座板４２は、平面視における周辺部よりも中央部が厚み方向に撓みやすい構造をなしている。なお、この実施形態における前記中央部は受圧部材たる張材４２２が配されており、前記周辺部は、座板本体４２１が配されている。
【００４３】
座板本体４２１は、平面視における中央部が開口した形状をなしている。すなわち、座板本体４２１は、前記座支持フレーム４１に係わり合う座板端縁部４２１ａとこの座板端縁部４２１ａの内側に位置する窓部４２１ｂとを備えたものである。
【００４４】
座板端縁部４２１ａは、平面視において前記座支持フレーム４１の座支持フレーム本体４１１と重なる位置に配され着座者の荷重を受けた際に前記座支持フレーム本体４１１の外面に沿って下方に弾性変形し得る変形領域ｘと、この変形領域ｘの外側に配され前記座支持フレーム本体４１１を保持するフレーム係合領域ｙと、このフレーム係合領域ｙの外側に設けられた延出領域ｚとを備えている。変形領域ｘは座支持フレーム本体４１１と重なる位置、換言すれば、変形領域ｘは、座支持部フレーム本体４１１を構成するパイプ材における幅方向中間部上の位置に設けられている。この実施形態では、変形領域ｘの外側寄りの範囲が、座支持部フレーム本体４１１の少なくとも内側寄りの範囲と重なっている。
【００４５】
変形領域ｘは、前記座支持フレーム本体４１１に沿って環状に形成されている。変形領域ｘは、座板端縁部４２１ａにおける他の領域よりも厚み方向に撓み易い構造をなしている。この実施形態では、変形領域ｘは、所定の間隔で形成された複数の貫通孔ｘ１を備えており、隣り合う貫通孔ｘ１間に帯状部ｘ２が形成されるようになっている。帯状部ｘ２は平面視において、座支持フレーム本体４１１の真上にも位置しており、着座者の荷重が座板４２の中心部分に作用した際に、座支持フレーム本体４１１の外面に沿うような変形が惹起されるようになっている。
【００４６】
フレーム係合領域ｙは、前記座支持フレーム本体４１１の外側に沿うリブｙ１と、このリブｙ１の基端部が接続する略水平板状をなす板状部分ｙ２とを備えている。このリブｙ１は、前記座板４２の周辺部４２１ａに形成されるものであり座裏カバー４４方向に延びるように突設された壁状のものである。この実施形態ではリブｙ１は、環状をなす座支持フレーム本体４１１の全周に亘って外側に沿うように設けられている。すなわち、リブｙ１は、座板４２の上面の一部を形成する水平板状をなした板状部分ｙ２から略直角に下方に向かって立設されている。フレーム係合領域ｙは、前記板状部分ｙ２及びリブｙ１により少なくとも断面視Ｌ字状の部位を備えており、座支持フレーム本体４１１の上側と外側を部分的に覆い得るように配されており、且つ、着座者の荷重を受けた際に、座支持フレーム本体４１１に対して摺接して相対移動できるようになっている。
【００４７】
延出領域ｚは、フレーム係合領域ｙにおけるリブｙ１の外側に延出して設けられたものであり、座板４２の周端縁ｚ１を有している。延出領域ｚは、板状の部材により構成された環状すなわち四角枠状の部分であり、変形領域ｘよりも剛性を有したものとなっている。
【００４８】
なお、座板４２は、ねじｖ２により座支持フレーム本体４１１に取り付けられている。より具体的には、座板４２は、リブｙ１を通過したねじｖ２を座支持フレーム４１の後枠部材４１１ｃに螺合することにより座支持時フレーム４１に取り付けられている。座板４２は、リブｙ１の内側に環状の座支持フレーム本体４１１を近接した状態で配するとともに、座支持フレーム４１１の後枠部材４１１ｃにのみねじｖ２によりねじ止めされているため、座支持フレーム４１１に対して座板４２が着座者の荷重を受けた際に相対移動し得るようになっている。
【００４９】
受圧部材たる張材４２２は、座板４２の平面視における中央部に位置するものであり、前記座板本体４２１の窓部４２１ｂに配され着座者からの荷重を受けるものである。張材４２２は、着座者の荷重を受けた際に下方に大きく撓みやすいものであり、この実施形態では、メッシュ状のものが採用されている。張材４２２は、座板本体４２１に対して熱溶着により止着されている。なお、座板４２は種々の方法により形成することができるものであり、例えば、座板４２全体を形成する段階でその構成部位である張材４２２を金型に投入するようにしてもよい。また、張材４２２は、種々のものを適用することができるものであるが、図１０及び図１１では、説明の便宜上、他の部位と区別し易いように網目を大きめにしたものを表示している。
【００５０】
被覆部材４３は、座板４２を上側から覆うものであり、伸縮性のある張地４３１と、この張地４３１の下側に配された比較的肉厚の薄いクッション材４３２とを備えている。被覆部材４３は、座板本体４２１や張材４２２の上面を被覆して外観を整える役割を担っている。
【００５１】
座裏カバー４４は、下方に膨らんだ形状をなした合成樹脂製のシェル状のものであり、座板４２の下面を覆うものである。この実施形態では、座裏カバー４４は、座板４２の周縁を除く下面部分と、座支持フレーム４１と、脚フレーム１における第二の横架材１４の中間部１４２を下方から覆っているものである。座裏カバー４４は、その外周縁に前記座板４２方向に延びる起立壁４４２を備えている。より詳しく言えば、座裏カバー４４は、下方に膨らんだ形状をなす座裏カバー本体４４１と、この座裏カバー本体４４１の周縁部に連続して設けられた起立壁４４２とを備えたものである。座裏カバー４４は、少なくともその平面視における中間部が、座板４２の対応する中間部と、離間して配されている。より具体的に言えば、座裏カバー４４の中間部と座板４２の中間部とは、座板４２の厚み方向への撓みを許容するための撓み空間ｓｐを隔てて離間して配されている。
【００５２】
座裏カバー本体４４１は、前後方向中間部における上面側に座横架材４１２が配される位置決め凹部４４１ａを備えるとともに左右の側部に軸保持部材ｗを配するための凹み部４４１ｃを備えている。また、座裏カバー本体４４１は、下面側に脚フレーム１における連結部材たる第一の横架材１３が当接し得る横架材当接部４４１ｄを備えるとともに第一の横架材１３の前後すなわち前記横架材当接部４４１ｄの前後に突条４４１ｂを配している。
【００５３】
この座裏カバー４４は、座板４２に立設されたリブｙ１の外側に前記起立壁４４２を位置させた状態で前記座板４２に対して適宜の方法で取り付けられている。その一例としては、座裏カバー４４の起立壁４４２には図示しない鉤状のフックが上方に向かって突設されており、このフックを座板４２の対応する位置に設けられた図示しない係合孔に係わらせることにより、座裏カバー４４が座板４２に対して取り付けられるようになっている。
【００５４】
以上に説明した座４が使用位置（Ｕ）にある状態で、上から前記座横架材４１２、前記座裏カバー４４、前記脚フレームの第一の横架材１３の順序で重なるようになっている。
【００５５】
以上説明したように、本実施形態に係る椅子Ｃは、座３が脚フレーム１に対して使用位置（Ｕ）と跳ね上げ位置（Ｈ）との間で回動可能であり、前記座４が跳ね上げ位置（Ｈ）にある状態で、同一構造をなす他の椅子Ｃ’と前後方向にネスティングし得るように構成されたものである。そして、前記座４が、周辺部よりも中央部である張材４２２が厚み方向に撓みやすい構造をなす座板４２を備えており、その座板４２の下面が座裏カバー４４により覆われたものとなっている。この座４は、使用位置（Ｕ）にある状態で、当該座４が直接的に前記脚フレーム１に支持されて略水平をなすように位置決めされている。座板４２の中間部と座裏カバー４４の中間部は、座板４２の撓みを許容するための撓み空間ｓｐを隔てて離間して配されている。このため、座４が着座者の荷重に応じて厚み方向に撓みやすい構造を採用するための、設計の自由度に優れた椅子Ｃを提供することができるものとなる。すなわち、座４の平面視における中央部を周辺部よりも撓みやすいようにした種々の構造を座板４２に対して適用しようとする場合には、座板４２における裏面側の見栄えが懸念される場合があるところ。本実施形態に係る椅子Ｃであれば、座４が跳ね上げ位置（Ｈ）にある場合であっても座裏カバー４４が座４に設けられた種々の撓み惹起構造を裏面側から覆い隠すことができるため、見栄えを良好なものとすることができる。換言すれば、本実施形態に係る椅子Ｃであれば、座裏カバー４４を座４の裏側に配することによって、座板４２の中央部の撓みを惹起するための構造を外観上の不具合を懸念することなく適用することができるようになっている。
【００５６】
座板４２の少なくとも左右の下面が、前記脚フレーム１に対して上下方向に回転可能な左右のフレームたる側枠部材４１１ａにより支持されている。そして、これら左右の側枠部材４１１ａが前記座４が使用位置（Ｕ）にある状態で前記脚フレーム１に間接的に支持されて略水平の姿勢をとるものとなっている。前記左右の側枠部材４１１ａは、左右方向に延び前記座板４２の撓み空間ｓｐを形成するべく下方に迂回するように湾曲又は屈曲した座横架材４１２によって連結されており、前記左右の側枠部材４１１ａ及び前記座横架材４１２が、前記座裏カバー４４によって下方から覆われている。このため、左右の側枠部材４１１ａ間において、座板４２の平面視における中央部が着座者の荷重に応じて撓み易い構造を適用することができるものとなる。つまり、左右の側枠部材４１１ａ間に撓みを実現するための撓み空間ｓｐを形成することができるとともに、左右の側枠部材４１１ａが座裏カバー４４によって覆われる座横架材４１２によって支持されるものとなっているため、外観上の良好に寄与するものとなっている。
【００５７】
前記座４が使用位置（Ｕ）にある状態で、上から前記座横架材４１２、前記座裏カバー４４、前記脚フレーム１の順序で重なるものとなっている。そして、前記座横架材４１２の上には着座者の荷重を受けた際に前記座板４２が下方に撓むのを許容し得る空間ｓｐが形成されている。このため、座板４２を有した座４を好適に脚フレーム１に支持し得るとともに、着座者の荷重を受けた場合に、座板４２の中央部が下方に撓み得るものとなる。しかも、座裏カバー４４が、その上側に位置する座横架材４１２と座裏カバー４４の下側に位置する脚フレーム１の第一の横架材１３との間に挟まれる構造となるため、脚フレーム１側に格別な緩衝材を介在させることなく座裏カバー４４そのものによって一定の緩衝作用を奏し得るものとなる。
【００５８】
前記座裏カバー４４は、上面側に前記座横架材４１２が配される位置決め凹部４４１ａを備えている。このため、座横架材４１２と座裏カバー４４との相対位置が変化し難いものとなり好適であるのみならず、座裏カバー４４を座板４２に対して止着する際において、位置決めを行い易いものとなる。
【００５９】
前記脚フレーム１が、左右の前脚１２とこれら左右の前脚１２間を連結する連結部材たる第一の横架材１３とを備えている。そして、座裏カバー４４が、第一の横架材１３の前後に突条４４１ｂを配している。このため、座４に対して着座者の荷重が作用しても、第一の横架材１３と座裏カバー４４との相互位置がずれにくいものとなり、着座者に安心感を与え得るものとなっている。
【００６０】
座裏カバー４４が、その外周縁に前記座板４２方向に延びる起立壁４４２を備えており、前記座板４２の周辺部には前記座裏カバー４４方向に延びるように突設された壁状ｙ１のリブが形成されている。そして、前記リブｙ１の外側に前記起立壁４４２を位置させた状態で前記座裏カバー４４が前記座板４２に対して取り付けられている。このため、外観も好適であり、且つ、座裏カバー４４を取り付け易い取付構造を提供することができるものとなっている。
【００６１】
座裏カバー４４が、合成樹脂製のものであるため、軽量化するための自由度が高いものとなる。しかも、第一の横架材１３と当接する際に緩衝作用を好適に奏し得るものとなる。
【００６２】
なお、本発明は、以上に詳述した実施形態に限られるものではない。
【００６３】
座板において、その中央部を周辺部よりも厚み方向に撓み易くするための構造は、種々の構造を適用することができ、上述した実施形態のものに限定されるものではない。
【００６６】
座板の変形領域は、厚み方向に撓み易い構造をなすものであればどのような構造のものであってもよく、上述した実施形態に示すものには限定されるものではない。貫通孔の形状は種々の形状を採用することができ、その形状に応じて帯状部の形状も種々の形状に形成されるものである。その他にも、例えば、変形領域は、丸孔を複数設けることによって、厚み方向に撓み易く構成するようにしたものであってもよいし、ゴム状の素材を適用してそれ自体が伸縮することで厚み方向に撓み易く構成するようにしたものであってもよいし、網状の部材を適用することによって厚み方向に撓み易く構成するようにしたものであってもよい。座板を、これら例示したものや、上述した実施形態に示すものを適宜組み合わせたものとしてもよい。換言すれば、変形領域は、いわゆる多様な樹脂メッシュ状の部材を適用することもできるし、メッシュ状のシート体を適用することもできるし、その他の伸縮性のある素材を適用した部材を適用することもできるものである。
【００６７】
座支持フレームは、少なくとも左右に対向する側枠部材を備えたものであればよく、上述した実施形態に示すような環状ないし枠状のものに限定されるものではない。
【００６８】
上述した実施形態では、座板を、座板本体と、この座板本体の窓部に設けられた受圧部材とを備えた構成としていたが、このようなものに限定されるものではない。換言すれば、着座者の荷重を受けた際の座板の中央部の撓みを惹起するための構成は適宜のものを採用することができる。例えば、座板を、座板本体を主体に構成したものとしてもよい。この場合は、着座者の着座時における座板本体における中央部の弾性変形を促進するために、いわゆる樹脂メッシュと称される種々の形状をなす穿孔部とこれら複数の穿孔部により形成された帯状部とを配したものを適用することが好ましい。
【００６９】
受圧部材は、種々の張材を適用することができるのは言うまでもない。例えば、受圧部材は、必ずしも伸縮性のあるメッシュ状のものを適用する必要はなく、比較的伸縮性の低いシート材を適用してもよい。このようにすれば、座板がいわゆるトランポリン状に作用する構造となり、座板本体の変形領域が主体となって座板のクッション性を付与し得るものとなる。
【００７０】
その他、各部の具体的構成についても上記実施形態に限られるものではなく、本発明の趣旨を逸脱しない範囲で種々変形が可能である。
【符号の説明】
【００７１】
１…脚フレーム
４…座
（Ｕ）…使用位置
（Ｈ）…跳ね上げ位置
４２…座板
４４…座裏カバー
ｓｐ…撓み空間
４１２…座横架材（横架材）
４４１ａ…位置決め凹部
４４１ｂ…突条
４４２…起立壁
ｙ１…リブ
【図１】
0006436750.tif 000002
【図２】
0006436750.tif 000003
【図３】
0006436750.tif 000004
【図４】
0006436750.tif 000005
【図５】
0006436750.tif 000006
【図６】
0006436750.tif 000007
【図７】
0006436750.tif 000008
【図８】
0006436750.tif 000009
【図９】
0006436750.tif 000010
【図１０】
0006436750.tif 000011
【図１１】
0006436750.tif 000012